(57)【要約】【課題】  凝集剤を霧状に散布して、床面に堆積されたハウスダストを固めた後、吸引する電気掃除機装置を提供する。【解決手段】    充電器２に、ハウスダストを固める凝集剤収納容器とポンプ部を有する散布手段を設置する。凝集剤を射出用ノズル４より、室内の床面に均一になるよう霧状に散布する。散布手段は、主に、凝集剤収納容器３、射出用ノズル４、ポンプ部５、散布用ボタン６で構成される。凝集剤収納容器３には液状の高分子ポリマーでなる凝集剤が収納されている。ポンプ部５は散布用ボタン６、バネ１６、ポンプ弁１７から構成される。散布する場合は、散布用ボタン６をバネ１６に抗して押すことにより、凝集剤が射出用ノズル４の管先端まで達したところで、噴流と混ざって霧吹き２０が発生し、凝集剤が霧状に射出される。【選択図】      図１
2006102008.tif 000002
【特許請求の範囲】
【請求項１】
電気掃除機本体または付属装置に設置され、ハウスダストを固める凝集剤を収納し、該凝集剤を霧状に散布する散布手段を有する電気掃除機装置。
【請求項２】
前記凝集剤は高分子ポリマーを溶かしたものであることを特徴とする請求項１記載の電気掃除機装置。
【請求項３】
前記凝集剤を霧状に散布する散布手段は手動ポンプによることを特徴とする請求項１記載の電気掃除機装置。
【請求項４】
前記散布手段は凝集剤を散布する際に、凝集剤を部屋に均一に散布するための撹拌機能を有することを特徴とする請求項１記載の電気掃除機装置。
【請求項５】
前記凝集剤を部屋に均一に散布する撹拌機能は前記散布手段の射出口を回転してなることを特徴とする請求項４記載の電気掃除機装置。
【請求項６】
前記散布手段の射出口の回転はモータによりなされることを特徴とする請求項５記載の電気掃除機装置。
【請求項７】
電気掃除機本体または付属装置に設置され、ハウスダストを固める凝集剤を収納し、該凝集剤を霧状に散布する散布手段と、該凝集剤を散布する時間を設定できるタイマーを有する電気掃除機装置。
【発明の詳細な説明】
【技術分野】
【０００１】
本発明は、ハウスダストを吸い取る電気掃除機装置に関するものである。
【背景技術】
【０００２】
近年、ダニや花粉等のハウスダストよって、アレルギー症状を訴える人が急増しており大きな問題となっている。原因として、空調環境が整備された住居が多くなり、アレルギー疾患の主な原因であるダニが、年間を通じ住み良い環境となっていることが考えられ、ダニの死骸や糞がハウスダストの多くのウエイトを占めている。その対策としては、空気清浄機があるが、浮遊しているダストには対応できるが、畳やフローリングなど床面に堆積しているダストは除去できなかった。また、掃除機の吸気口のダストを対象とするものではないが、掃除機の排気中の微細な塵埃を確実に補集するために、フィルタを排気口内側に接着して配置するものが一般的に採用され公知である（例えば、特許文献１を参照）。
【特許文献１】特開平８−３０８７７４号公報
【発明の開示】
【発明が解決しようとする課題】
【０００３】
畳やフローリング等の床面にあるダストを掃除機で吸おうとしても、掃除機をかける際の人の動きや排気風等で簡単に舞い上がるため、吸い取る前に浮遊してしまい、掃除機で完全に吸込むのは殆ど不可能であるという問題があった。そこで本発明は、凝集剤を霧状に散布してハウスダストを固めた後、吸引する電気掃除機装置を提供することを目的とする。
【課題を解決するための手段】
【０００４】
上記課題を解決するために、本発明の請求項１に係る電気掃除機装置は、電気掃除機本体または付属装置に設置され、ハウスダストを固める凝集剤を収納し、該凝集剤を霧状に散布する散布手段を有する構成した。
【０００５】
こうして、床面に堆積されたハウスダストは、凝集剤によって固められて、ある一定の塊となり、掃除機をかける際に、床面にあるハウスダストが室内へ舞い上がるのを防止でき、アレルギーの主な原因であるハウスダストを掃除機にて効率良く除去できる。
【０００６】
本発明の請求項２に係る電気掃除機装置は、電気掃除機本体または付属装置に設置され、ハウスダストを固める高分子ポリマーを溶かした凝集剤を収納し、該凝集剤を霧状に散布する散布手段を有する構成した。
【０００７】
こうして、床面に堆積されたハウスダストは、高分子ポリマーを溶かした凝集剤を霧状に散布して効率的に固められて、ある一定の塊となり、掃除機をかける際に、床面にあるハウスダストが室内へ舞い上がるのを防止でき、アレルギーの主な原因であるハウスダストを掃除機にて効率良く除去できる。
【０００８】
本発明の請求項３に係る電気掃除機装置は、電気掃除機本体または付属装置に設置され、ハウスダストを固める凝集剤を収納し、該凝集剤を霧状に散布する手動ポンプによる散布手段を有する構成した。
【０００９】
こうして、床面に堆積されたハウスダストは凝集剤を、簡単な手押しポンプにより霧状に散布して効率的に固められて、ある一定の塊となり、掃除機をかける際に、床面にあるハウスダストが室内へ舞い上がるのを防止でき、アレルギーの主な原因であるハウスダストを掃除機にて効率良く除去できる。
【００１０】
本発明の請求項４に係る電気掃除機装置は、電気掃除機本体または付属装置に設置され、ハウスダストを固める凝集剤を収納し、該凝集剤を霧状に散布する散布手段を備え、前記散布手段は凝集剤を散布する際に、凝集剤を部屋に均一に散布するための撹拌機能を有する構成した。
【００１１】
こうして、床面に堆積されたハウスダストは、凝集剤を撹拌機能より部屋に均一に広く散布するため、凝集剤によって固められて、ある一定の塊となり、掃除機をかける際に、床面にあるハウスダストが室内へ舞い上がるのを防止でき、アレルギーの主な原因であるハウスダストを掃除機にて効率良く除去できる。
【００１２】
本発明の請求項５に係る電気掃除機装置は、電気掃除機本体または付属装置に設置され、ハウスダストを固める凝集剤を収納し、該凝集剤を霧状に散布する散布手段を備え、前記散布手段は凝集剤を散布する際に、凝集剤を部屋に均一に散布するための前記散布手段の射出口を回転してなる撹拌機能を有する構成した。
【００１３】
本発明の請求項６に係る電気掃除機装置は、電気掃除機本体または付属装置に設置され、ハウスダストを固める凝集剤を収納し、該凝集剤を霧状に散布する散布手段を備え、前記散布手段は凝集剤を散布する際に、凝集剤を部屋に均一に散布するための前記散布手段の射出口をモータにより回転してなる撹拌機能を有する構成した。
【００１４】
こうして、床面に堆積されたハウスダストは、凝集剤を散布手段の射出口を回転して撹拌することにより、凝集剤を円周状で部屋に均一に広く散布するため、凝集剤によって固められて、ある一定の塊となり、掃除機をかける際に、床面にあるハウスダストが室内へ舞い上がるのを防止でき、アレルギーの主な原因であるハウスダストを掃除機にて効率良く除去できる。
【００１５】
本発明の請求項７に係る電気掃除機装置は、電気掃除機本体または付属装置に設置され、ハウスダストを固める凝集剤を収納し、該凝集剤を霧状に散布する散布手段と、該凝集剤を散布する時間を設定できるタイマーを有する構成とした。
【００１６】
こうして、一般的に凝集剤は直ぐに固まらないため、散布した後、ある一定時間を待たなければならないが、掃除を行なう予定時間を基準に、タイマー装置によりある一定時間前にタイマーを設定しておけば、自動散布をすることができるので、ハウスダストが凝集する時間を待つ必要もなく、予定時間に掃除をすぐ行なうことが可能となる。
【発明の効果】
【００１７】
以上のように、本発明の電気掃除機装置は、床面に堆積されたハウスダストが、凝集剤にて固められて、ある一定の塊となることにより、掃除機をかける際に床面にあるハウスダストが舞い上がらず吸い取ることができ、アレルギー疾患の主な原因であるハウスダストを効率良く除去できる。また、掃除を行なう予定時間を基準に、タイマー装置によりある一定時間前にタイマーを設定しておけば、自動散布をすることができるので、ハウスダストが凝集する時間を待つ必要もなく、予定時間に掃除をすぐ行なうことが可能となる。
【発明を実施するための最良の形態】
【００１８】
本発明のハウスダストが凝集剤にて固められる原理を図５を参照して説明する。図５において、床面に細かいハウスダストが散乱している状態に（イ）、例えば、ファブリーズ（登録商標）、ハウスダストクリア（登録商標）、アレルクリン（登録商標）等の市販の高分子ポリマーを溶かした凝集剤を霧状に散布すると（散布量は１ｍ2 当り約２.２ｇが目安）、ハウスダストは乾きながら浮き上がる（ハ）。そして、時間とともに集まりながら固まっていき（ニ）、遂には、大きく固まった状態になる（ホ）。この状態で掃除機により吸引すると、ハウスダストが舞い上がらず吸い取ることができる。
【００１９】
次に、本発明の電気掃除機装置の実施形態を、付属装置として充電器を有する充電式電気掃除機を一例にして図面により説明する。図１は本発明の実施形態の充電式電気掃除機の側面図を示す。図において、１は掃除機本体、２は掃除機の充電器（充電台）、３は凝集剤収納容器、４は射出用ノズル、５はポンプ部、６は散布用ボタン、７は電気掃除機の車輪である。散布手段は凝集剤収納容器３、射出用ノズル４、ポンプ部５、散布用ボタン６で構成される。充電式電気掃除機は、一般的に本体内部にニカドやニッケル水素といった二次電池を備えており、充電のために充電器（充電台）２に設置される。
【００２０】
充電器２に、ハウスダストを固める凝集剤収納容器とポンプ部を有する散布手段を設置する。凝集剤は主に、市販の高分子ポリマーを溶かした液状の高分子ポリマーを使用するが、ハウスダストを凝集でき、人体や屋内に悪影響のないものであれば特に限定はしない。この凝集剤を、１カ所或いは数カ所設置した射出用ノズル４より、室内の床面に均一になるよう霧状に散布する。
【００２１】
凝集剤を霧状に散布するための散布手段の概要を図４に示す。散布手段は、主に、凝集剤収納容器３、射出用ノズル４、ポンプ部５、散布用ボタン６で構成される。凝集剤収納容器３には液状の高分子ポリマーでなる凝集剤が収納されている。ポンプ部５は散布用ボタン６、バネ１６、ポンプ弁１７から構成される。散布する場合は、散布用ボタン６をバネ１６に抗して押すことにより、ポンプ弁１７が空気取入口１９より空気を取り入れて、ポンプ部の低部まで押し込む。
【００２２】
押し込まれた空気はエアー管１８を通って射出用ノズル４に押し出される。凝集剤収納容器３には吸引管１５が設けられ、その先端に空気が通るエアー管１８がＴ字状に構成されている。凝集剤が通る管の先端部が接続されるエアー管１８の一部のみ、管径が小さくなっている。これにより、「ベルヌーイの定理」に基づき、空気が通るエアー管１８を通る時、管径が小さい箇所の流速が速まり、圧力が低くなることによって凝集剤が吸引管１５を上ってきて、射出用ノズル４の管先端まで達したところで、噴流と混ざって霧吹き２０が発生し、凝集剤が霧状に射出される。
【００２３】
従って、充電器（充電台）２を床面の掃除しようとする位置に置いて、凝集剤が霧状に射出した後、所定時間（おおよそ５分以上）してから掃除機により凝集したハウスダストを吸引すると、ハウスダストが舞い上がらず吸い取ることができる。また、充電器（充電台）２の底面にキャスターを設けることにより、充電器（充電台）２を所望の場所に自由に移動させることができる。
【００２４】
次に、図２に示す本発明の他の実施形態を説明する。図２（Ａ）は充電式電気掃除機の充電器（充電台）の平面図、図２（Ｂ）は充電器（充電台）の側面図である。
【００２５】
図２において、充電器（充電台）２には凝集剤の散布手段ユニット８が設置されている。また、充電器（充電台）２の内部にはモーター１０が内蔵されていて、ベルト１１を介して射出用ノズル４のプーリー９に懸架されており、モーター１０回転を減速して射出用ノズル４を回転させる。この場合、ポンプ部は内蔵された電気機構（図示せず）により自動駆動される構成になっている。これにより、射出用ノズル４を回転することにより、凝集剤を室内へより広範囲に散布が可能となり、均一に速く凝集剤の散布ができる。
【００２６】
図３には、本発明の他の実施形態を示す。図において、図１と同一物には同じ符号を付している。１２は充電器（充電台）２の側面に配置されたタイマー装置であり、タイマー設定を行なうダイヤル１３と表示パネル１４を有する。充電器（充電台）２内部には自動散布手段（図示せず）が内蔵されている。
【００２７】
一般的に凝集剤は直ぐに固まらないため、散布した後、ある一定時間（おおよそ５分以上）を待たなければならない。しかし、タイマー装置１２を設けることにより、掃除を行なう予定時間を基準に、ある一定時間前にタイマーを設定しておけば、自動散布をすることができるので、ハウスダストが凝集する時間を待つ必要もなく、予定時間に掃除をすぐ行なうことが可能となる。
【００２８】
また、充電器の代わりに、電気掃除機本体に凝集剤散布機能を設けるこもできる。これにより、充電式以外の電気掃除機でも対応できる。勿論、この構成は電気掃除機だけでなく、扇風機、空気清浄、エアコン、除湿機などへも転用できる。
【図面の簡単な説明】
【００２９】
【図１】本発明の一実施形態に係る充電式電気掃除機の側面図。
【図２】本発明の他の実施形態に係る充電器（充電台）の図。
【図３】本発明の他の実施形態に係る充電式電気掃除機の側面図。
【図４】本発明の散布手段の構成図。
【図５】凝集剤によるハウスダストの凝集プロセス図。
【符号の説明】
【００３０】
１            電気掃除機本体
２            掃除機の充電器（充電台）
３            凝集剤収納容器
４            射出用ノズル
５            ポンプ部
６            散布用ボタン
８            散布手段ユニット
９            プーリー
１０          モーター
１１          ベルト
１２          タイマー装置
１３          ダイヤル
１４          表示パネル
１５          吸引管
１７          ポンプ弁
１８          エアー管
１９          空気取入口
【図１】
2006102008.tif 000003
【図２】
2006102008.tif 000004
【図３】
2006102008.tif 000005
【図４】
2006102008.tif 000006
【図５】
2006102008.tif 000007